(57)【要約】  【課題】ディスクの各トラックの中央線を基準に書込を行った信号データの、特に記録トラック幅の両端付近に記録されている旧データを十分に消去し、かつ、信号データの記録トラック幅をトラックの中央線に対して正確な位置に所定記録トラック幅で記録する。  【解決手段】ヘッドにはライトヘッド、リードヘッドおよび１つ以上の消磁ヘッドを有し、ディスクに書き込まれているトラッキングサーボ情報をリードヘッドにより読み取り、リードヘッドの基準部をトラックの中央線上に位置づけ制御しながらライトヘッドにて信号データをトラックに書き込んだ後、リードヘッドにより読み取るトラッキングサーボ情報をもとに消磁ヘッドをトラックの中央線からディスクの半径方向の所定位置に位置づけ制御し、消磁ヘッドにより記録トラック幅の両端部あるいは一端部から所望の幅の領域を消磁して所定記録トラック幅を得る。【選択図】図１
2010073263.tif 000002
【特許請求の範囲】
【請求項１】
ライトヘッド、リードヘッドおよび１つ以上の消磁ヘッドを有する垂直磁気記録ヘッドにより回転型記録媒体のトラックに書き込まれる信号データの記録トラック幅の調整方法であって、
前記回転型記録媒体に書き込まれているトラッキングサーボ情報を前記リードヘッドにより読み取る工程と、
前記リードヘッドの基準部を前記トラックの中央に位置づけ制御しながら前記ライトヘッドにて前記信号データを前記トラックに書き込む工程と、
前記リードヘッドにより読み取る前記トラッキングサーボ情報をもとに前記消磁ヘッドを前記トラックの中央から前記回転型記録媒体の半径方向の所定位置に位置づけ制御する工程と、
前記消磁ヘッドにより前記記録トラック幅の両端部あるいは一端部から所望の幅の領域を消磁する工程とを備えることを特徴とする記録トラック幅の調整方法。
【請求項２】
回転型記録媒体と、
ライトヘッドとＭＲリードヘッドと１つ以上の消磁ヘッドとを有する垂直磁気記録ヘッドとを備え、
前記垂直磁気記録ヘッドは薄膜成膜によりヘッドスライダに一体で形成され、
前記回転型記録媒体に書き込まれている各トラックのトラッキングサーボ情報を前記ＭＲリードヘッドにより読み取って前記ＭＲリードヘッドの基準部を前記トラックの中央に位置づけ制御するトラッキング手段と、
前記ライトヘッドにて信号データを前記トラックに書き込む書込手段と、
前記リードヘッドにて前記信号データを読み取る読取手段と、
前記リードヘッドにより読み取る前記トラッキングサーボ情報をもとに前記消磁ヘッドを前記トラックの中央に対して前記回転型記録媒体の半径方向の所定位置に位置づけ制御する消磁ヘッド位置づけ手段と、
前記信号データの記録トラック幅の両端部あるいは一端部から所望の幅の領域を前記消磁ヘッドにより消磁して所定記録トラック幅とする所定記録トラック幅生成手段とを有し、
前記回転型記録媒体における前記消磁ヘッドの消磁幅は隣り合う前記所定記録トラック幅以下であることを特徴とする磁気ディスク装置。
【請求項３】
２つの前記消磁ヘッドの消磁幅の内側間隔が略前記所定記録トラック幅であることを特徴とする請求項２記載の磁気ディスク装置。
【発明の詳細な説明】
【技術分野】
【０００１】
磁気ディスク装置に搭載される垂直磁気記録ヘッドによる回転型記録媒体に記録した記録トラック幅の調整方法および磁気ディスク装置に関する。
【背景技術】
【０００２】
近年、電子計算機の性能の向上に伴い、磁気記録装置に要求される性能として、ますます高転送レート化、大容量化が求められている。磁気記録装置として、例えば、ハードディスクドライブ（以下、ＨＤＤと呼ぶ）においては、磁気記録媒体の記録密度を向上するため、磁気記録媒体の磁気記録面に対して磁化方向が平行な面内磁気記録方式から、磁化方向が磁気記録面に対して垂直方向の垂直磁気記録方式の実用化が進んでいる。
【０００３】
垂直磁気記録再生ヘッドおいても、トラック密度は高くなり、狭トラック化が進むにつれ、磁気記録媒体に記録される記録トラック幅の寸法精度が重要視されるようになってきている。物理的な微細化が進み、ライトヘッドのコア幅が記録特性に大きく影響を及ぼし、ライトヘッドの製造過程において光学的顕微鏡などによる光学的測定方法によって求められるコア幅（以下、光学的コア幅と呼ぶ）とヘッド完成後の実効コア幅（具体的には、例えばヘッド完成後に磁気記録媒体に実際に記録される記録トラック幅をもって実効コア幅とする）を比較したとき、光学的コア幅と実効コア幅との相違が製造歩留りに影響を与える。
【０００４】
従来、ライトヘッドの製造過程において光学的コア幅とヘッド完成後の実効コア幅との相関をとり、光学的コア幅のデータをもとに実効コア幅を予測していたが、光学的コア幅との関係だけでなく、記録ヘッドの他の部分の寸法のバラツキも実効コア幅に影響を与える。すなわち、光学的に測定したコア幅以外に実効コア幅に影響を与えるファクタとして、例えばライトヘッドのネックハイト、主磁極長、主磁極テーパ角、スロートハイト等が挙げられる。
【０００５】
一般に、記録トラック幅は、ライトヘッドの実効コア幅で決まってしまうため、従来は、ライトヘッドの光学的コア幅の規格を厳しくして規格内のものを選別して取り出していた。
【０００６】
特許文献１には、磁気コアにより磁気記録媒体に書き込まれた信号データの記録トラック幅の両側縁部を他の磁気コアを用いて消去し、希望の記録トラック幅を残すように配置された一体構造の消磁ヘッドコアを具備する垂直磁化型磁気ヘッドが記載されている。
【０００７】
さらに、特許文献２には、既に書かれている記録の磁化状態による記録位置の変化すなわちビットシフトをなくすため、ライトヘッドの磁極に対し垂直な方向に配置した消磁用磁極を有する磁気ヘッドを用いて情報を磁気記録媒体に書き込む直前に、以前に書き込まれた記録を記録の向きと垂直をなす方向に消磁するヘッドが記載されている。
【０００８】
特許文献１記載のヘッドは、垂直磁化型磁気ヘッドにおいてもトラックの位置ずれが生じた状態で信号の記録再生を行うとディスク上の旧信号が更新されずに残り、雑音として再生信号のＳ／Ｎ比を劣化させることがあるので、消磁用ヘッドを用いて記録トラックの両縁部を消磁し、前記の問題を解決するためのものである。
【０００９】
特許文献２記載のヘッドにおいても、既に書き込まれている記録領域の磁化状態の影響をなくすため、記録再生積層型ヘッドの記録ヘッド両脇に空隙がトラック幅と等しい消磁
用磁極を配して以前に記録されたデータを消去する。これにより、書込以前に予め記録されたデータを完全に消去するため、上書きした情報の誤検出がなくなるというものである。
【００１０】
いずれにおいても、ライトヘッドに対し固定した位置に消磁ヘッドを配し、各トラックの中央に対してリードヘッドの中心が一致するように制御されるが、リードヘッドの中心に対するライトヘッドおよび消磁ヘッドの位置は固定的である。
【００１１】
磁気記録媒体における高記録密度化が進み、トラックの高密度化、狭トラック化に伴い、トラック幅寸法の高精度化、磁気記録媒体に記録されていた旧データの十分な消去、トラックずれの極小化、さらに隣り合うトラック間同士の記録トラック幅の間隔の均一化を行い、再生信号のノイズを極力排除することが益々必要となっている。
【００１２】
一般的に、規格値を満足する実効コア幅のライトヘッドを得るには、記録トラック幅を実測した結果からヘッドの選別をする。また、磁気記録媒体に記録されていた旧信号データを十分に消去して新しい信号データを書き込むには、あらかじめ、トラックに沿って記録トラック幅以上の領域をイレーズした後に所定記録トラック幅で新しい信号データを書き込むか、あるいは、所定記録トラック幅以上の記録トラック幅で書き込んでから所定記録トラック幅となるように記録トラック幅の両端を寸法精度よくイレーズする必要がある。
【００１３】
さらに、隣り合うトラック間の所定記録トラック幅同士の間隔を均一にするには、機械的・電気的な外乱や環境温度の変化に対応した、高度なトラッキング技術が必要となる。
【００１４】
以上のように、トラックの高密度化および狭トラック化に伴い、従来知られているような、磁気記録媒体に磁気コアにて書き込んだ信号データの記録トラック幅の両側縁部を他の磁気コアを用いて消去し、希望の記録トラック幅を残すように配置された一体構造の消磁ヘッドコアを有するヘッドでは、寸法精度の点から十分なものではなくなってきている。
【特許文献１】特開昭６０−２３７６１０号
【特許文献２】特開平１１−０８６２１０号
【発明の開示】
【発明が解決しようとする課題】
【００１５】
本発明は、磁気記録媒体の各トラックの中央を基準に書込を行った信号データの、特に記録トラック幅の両端付近に記録されている旧データを十分に消去し、かつ、信号データの記録トラック幅をトラックの中央に対して正確な位置に所定記録トラック幅で記録するための記録トラック幅の調整方法、これを用いた垂直磁気記録ヘッドおよび磁気ディスク装置を提供することを目的とする。
【課題を解決するための手段】
【００１６】
本発明の請求項１に記載の発明は、ライトヘッド、リードヘッドおよび１つ以上の消磁ヘッドを有する垂直磁気記録ヘッドにより回転型記録媒体のトラックに書き込まれる信号データの記録トラック幅の調整方法であって、前記回転型記録媒体に書き込まれているトラッキングサーボ情報を前記リードヘッドにより読み取る工程と、前記リードヘッドの基準部を前記トラックの中央に位置づけ制御しながら前記ライトヘッドにて前記信号データを前記トラックに書き込む工程と、前記リードヘッドにより読み取る前記トラッキングサーボ情報をもとに前記消磁ヘッドを前記トラックの中央から前記回転型記録媒体の半径方向の所定位置に位置づけ制御する工程と、前記消磁ヘッドにより前記記録トラック幅の両端部あるいは一端部から所望の幅の領域を消磁する工程とを備えることを特徴とする記録トラック幅の調整方法である。
【００１７】
請求項１記載の発明によれば、例えば、データ面サーボ方式のうち、一般的に使われているセクタ・サーボ方式を用いたディスク装置において、各々独立したライトヘッド、リードヘッドおよび消磁ヘッドを薄膜成膜により積層して一体化した垂直磁気記録ヘッド（以下、単にヘッドと呼ぶ）を用いて、回転型の垂直磁気記録媒体（以下、回転型記録媒体と称す）のサーボ領域に予め書き込まれているトラッキングサーボ信号を基準に各トラックの中央に合わせてライトヘッドにより書き込む信号データの記録トラック幅の大きさおよび中心位置を精度よく、かつ、書き込む信号データの領域に存在する旧信号データの磁気的な影響が出ないように書き込む。
【００１８】
すなわち、トラックの高密度化、狭トラック化に対応すべく、新しく書き込む信号に旧信号の影響を与えることなく、新しく書き込まれた信号の記録トラック幅を所定記録トラック幅とし、かつ、所定記録トラック幅の中心とトラックの中央との位置ずれを極力抑えようとするものである。
【００１９】
例えば、先ず、トラッキングサーボ信号としてサーボ領域に予め書き込まれているバースト信号をリードヘッドにより読み込み、リードヘッドの中心がトラックの中央に位置するように制御しながら、所定記録トラック幅の領域を覆うように所定記録トラック幅より大きな記録トラック幅にて、ライトヘッドによりトラックのデータ領域に信号データを書き込む。
【００２０】
ここで、予め、ライトヘッドにより書き込む所定の信号データをリードヘッドによって読みとった結果から、リードヘッドの読取幅方向の中心がトラックの中央にあるときのトラックの中央とライトヘッドの書込幅方向の中心とのずれ、ライトヘッドの書込幅（記録トラック幅）、トラックの中央と消磁ヘッドの中心とのずれ量をディスク装置内のＣＰＵが計算し、消磁ヘッドによる消去幅のデータと共に、例えば、ディスク装置に装着されている回転型記録媒体の所定の領域、あるいはディスク装置が有する他のメモリ内に記録しておく。トラックに対する各ヘッドのトラック幅方向の位置関係と共に、トラック長手方向の位置関係も計算され記録される。
【００２１】
リードヘッドが読み出すバースト信号の振幅からトラックの中央とリードヘッドの中心の相対的な位置が計算され、ヘッドはトラックの中央とリードヘッドの中心が一致するように制御される。
【００２２】
本発明においては、これに加え、消磁ヘッドをトラックの中央位置に対して所望の位置に位置づけるため、例えば、リードヘッドが読み出すバースト信号の出力をもとに、リードヘッドの中心を、トラックの中央から所定記録トラック幅の１／５０ピッチで左右に位置づけできるようにする。
【００２３】
一体型のヘッドとして組み込まれているライトヘッド、リードヘッド、消磁ヘッドの互いの位置関係や寸法はヘッドが完成後は変更できない。そこで、予め決めてあるトラックピッチと所定記録トラック幅をもとに、例えば、ライトヘッドは、基準値の所定記録トラック幅より１０パーセント大きい値の設計値をもつ記録トラック幅を有し、リードヘッドが読み取るバースト信号によってリードヘッドのトラック幅方向の中心がトラックの中央に位置づけられにように制御されている。
【００２４】
この段階において、トラックの中央にライトヘッドのトラック幅方向の中心が位置づけされている保証はない。したがって、記録トラック幅にバラツキのある、かつ、記録トラック幅の中心がトラックの中央から外れた記録トラックがライトヘッドによって書き込まれる。
【００２５】
つぎに、消磁ヘッドがリードヘッドとライトヘッドのほぼ中心上で、かつ、リードヘッドとライトヘッドの近傍に１つ設けられ、消磁ヘッドによる消磁幅は、トラックピッチと所定記録トラック幅から求められる隣り合う所定記録トラック幅間の最小間隔以下の大きさのものと仮定する。消磁ヘッドをトラックの中央からそれぞれ所定記録トラック幅の１／２より外の領域をイレーズするように位置制御しながらイレーズ動作を行う。これによって、記録トラック幅の両端あるいは一端においてイレーズされない場合が考えられるが、このような場合には、このようにならないように、予めヘッドを選別しておくか、記録トラック幅を、例えば、支障のない限り、所定記録トラック幅より１５〜２０パーセント大きい値の設計値をもつようにしておく。
【００２６】
記録トラック幅の両端が消磁ヘッドにより消磁される領域が残っているようであれば、旧信号データが書き込まれている記録トラック幅の特に両端部は殆ど消去され、新しい信号データに悪影響を及ぼすことが無くなる。同時に、トラックの中央に対して、偏って書き込まれた信号データの記録トラック幅は、両端をトラックの中央に対してほぼ等しい距離の以遠の領域が消磁され、信号データの記録トラック幅をトラックの中央に対してほぼ対称にかつ所定記録トラック幅を残してイレーズすることができる。つまり、先に書き込まれた記録トラック幅の中心がトラックの中央に対してずれていても、上記の消磁ヘッドによる消磁を行えば、所定記録トラック幅でかつその中心がトラックの中央に対して精度高く一致させるようにすることができる。
【００２７】
ここで、例えば、データ面サーボ方式のうち、一般的に使われているセクタ・サーボ方式を用いたディスク装置においては、回転型記録媒体の円周方向に信号データを記録するため、半径方向に所定の間隔をもった同心円状の記録幅をもつトラックを規定している。回転型記録媒体における記録密度を上げるためには、各トラックの幅を狭く、かつトラック間隔を狭くする必要があるが、ヘッドを所望するトラックに位置づける高度なシーク制御、およびヘッドを所望するトラックに位置づけられた後にトラックの中央に正確に位置づけして追従させるための高度なトラックフォロー制御（トラッキング制御）が必要となる。本発明は、特にトラッキング制御に関係する。トラッキング制御においてリードヘッドを各トラック毎の予定した中央に位置づけるため、トラックの円周方向にデータ領域とサーボ領域を交互に配し、リードヘッドがサーボ領域に予め書き込まれた半径方向の位置のサーボ情報を間欠的に読み出し、トラックの１周におけるヘッドのトラッキング制御が行われる。トラックの中央とは、各トラックにおける位置のサーボ情報に基づくものであり、リードヘッドにより読み出される位置のサーボ情報により、例えばリードヘッドのトラック幅方向の中心がトラックの中央に位置的に一致するようトラッキング制御される。
【００２８】
本発明の請求項２に記載の発明は、回転型記録媒体と、ライトヘッドとＭＲリードヘッドと１つ以上の消磁ヘッドとを有する垂直磁気記録ヘッドとを備え、前記垂直磁気記録ヘッドは薄膜成膜によりヘッドスライダに一体で形成され、前記回転型記録媒体に書き込まれている各トラックのトラッキングサーボ情報を前記ＭＲリードヘッドにより読み取って前記ＭＲリードヘッドの基準部を前記トラックの中央に位置づけ制御するトラッキング手段と、前記ライトヘッドにて信号データを前記トラックに書き込む書込手段と、前記リードヘッドにて前記信号データを読み取る読取手段と、前記リードヘッドにより読み取る前記トラッキングサーボ情報をもとに前記消磁ヘッドを前記トラックの中央に対して前記回転型記録媒体の半径方向の所定位置に位置づけ制御する消磁ヘッド位置づけ手段と、前記信号データの記録トラック幅の両端部あるいは一端部から所望の幅の領域を前記消磁ヘッドにより消磁して所定記録トラック幅とする所定記録トラック幅生成手段とを有し、前記回転型記録媒体における前記消磁ヘッドの消磁幅は隣り合う前記所定記録トラック幅以下であることを特徴とする磁気ディスク装置である。
【００２９】
請求項２記載の発明によれば、各々独立したライトヘッド、ＭＲリードヘッド、消磁ヘッドを薄膜成膜により積層して一体化したヘッドを用いて、回転型記録媒体のサーボ領域に予め書き込まれているトラッキングサーボ情報をもとに各トラックの中央に沿ってライトヘッドにより書き込む信号データの記録トラック幅を精度よく所定記録トラック幅に、かつ、書き込もうとする新しい信号データの領域に存在する旧信号データの磁気的な影響が出ないように書き込む磁気ディスク装置である。トラックの高密度化、狭トラック化に対応すべく、記録トラック幅が正確でかつ記録トラック幅の中心とトラックの中央との位置ずれを極力抑え、かつ旧信号の影響を新しい信号に与えないようになっている。
【００３０】
また、消磁ヘッドの消磁幅を隣り合う所定記録トラック幅間の最小間隔以下としたのは、この大きさ以上の消磁幅を有する消磁ヘッドであると、既に所定記録トラック幅とした隣のトラックの記録トラック幅をさらに減ずる可能性があるため、これを防止するためである。
【００３１】
本発明の請求項３に記載の発明は、２つの前記消磁ヘッドの消磁幅の内側間隔が略前記所定記録トラック幅であることを特徴とする請求項２記載の磁気ディスク装置である。
【００３２】
請求項３記載の発明によれば、２つの消磁ヘッドの消磁幅の内側間隔を所定記録トラック幅の規格寸法に入る寸法にしておくことにより、２つの消磁ヘッドの消磁幅の内側間隔の中心がトラックの中央に位置するように制御しながら、先に書き込まれた記録トラック幅の両端を同時に消去して所定記録トラック幅とすることができるので、所定記録トラック幅でかつ、トラックの中央に位置する偏りの少ない所定記録トラック幅を残すことができる。
【発明の効果】
【００３３】
本発明により、各々独立したライトヘッド、ＭＲリードヘッド、消磁ヘッドを薄膜成膜により積層して一体化したヘッドにおいて、ライトヘッド、ＭＲリードヘッド、消磁ヘッド各々の相対位置、寸法精度によらず、回転型記録媒体における旧信号データの磁化状態が新たに書き込まれる新しい信号データに影響を与えることなく、かつ、回転型記録媒体の各トラックにおいて、新しい信号データによる所定記録トラック幅の中心を各トラックの中央に合わせて精度よく配置することができる。これにより、高密度かつ狭トラックを有する回転型記録媒体を用いる磁気ディスク装置を提供することができる。
【発明を実施するための最良の形態】
【００３４】
図1は、本発明による実施フローの例を示す。磁気ディスク装置においては、ホストコンピュータから書込命令と書込先のアドレスを受け取ると、リードヘッドは回転型記録媒体（以降、ディスクと呼ぶ）に記録されているサーボ情報を読み込み、これにより現在の位置を知って目的のアドレスにヘッドを移動するシーク動作を行う。つぎにリードヘッドが読み出すバースト信号の出力からトラックの中央とリードヘッドの中心の相対的な位置が計算され、ヘッドはトラックの中央の位置にリードヘッドの中心が一致するように制御するトラッキング動作に入ると、ライトヘッドによりユーザデータをトラックのサーボデータとサーボデータの間のデータ領域に記録する。
【００３５】
本発明においては、予め、ライトヘッドにより書き込む所定の信号データをリードヘッドによって読みとった結果から、リードヘッドの読取幅方向の中心がトラックの中央にあるときのトラックの中央とライトヘッドの書込幅方向の中心とのずれ、ライトヘッドによる記録トラック幅、トラックの中央と消磁ヘッドの中心とのずれ量を磁気ディスク装置内のＣＰＵが計算し、消磁ヘッドによる消去幅（実際にディスクのトラックに書き込まれている磁気信号データをイレーズし、そのイレーズされた幅）のデータと共に、例えば、磁
気ディスク装置に装着されているディスクの所定の領域、あるいは磁気ディスク装置が有する他のメモリ内に記録しておく。トラックに対する各ヘッドのトラック幅方向の位置関係と共に、トラック長手方向の位置関係も計算され記録される（Ｓ０１）。
【００３６】
ホストコンピュータからの書込命令を磁気ディスク装置が受け取ると（Ｓ０２）、磁気ディスク装置はヘッドを所定のトラックに位置づけるシーク動作の後、ディスクの所定のトラックの中央にリードヘッドの中心を一致させるように制御するトラッキング動作に入り、トラックのサーボデータとサーボデータの間のデータ領域にライトヘッドによりユーザデータを書き込む。所定記録トラック幅を例えば５０ｎｍとした場合、書き込む記録トラック幅を所定記録トラック幅の１０％広い５５ｎｍで書き込むように、ライトヘッドの記録トラック幅は設計値の中央値を５５ｎｍとしたヘッドを用いる。この場合、磁気ディスク装置の精度から、所定記録トラック幅の５０ｎｍに対し、書き込む記録トラック幅が５５ｎｍでは書き込まれている旧信号データの所定記録トラック幅５０ｎｍの範囲をカバーできない場合には、例えば所定記録トラック幅の２０％広い設計値の中央値が６０ｎｍの記録トラック幅をもつライトヘッドを用いてもよい（Ｓ０３）。
【００３７】
その後、記録トラック幅を所定記録トラック幅に、かつ、所定記録トラック幅の中心がトラックの中央に位置するように、トラックの中央を基準として記録トラック幅の外周部、すなわちディスクの中心部から半径方向に遠い側の記録トラック幅の外周部をイレーズする位置に消磁ヘッドを位置決め制御してイレーズし（Ｓ０４）、さらに、トラックの中央を基準として記録トラック幅の内周部、すなわちディスクの中心部から半径方向に近い側の記録トラック幅の内周部をイレーズする位置に消磁ヘッドを位置決め制御してイレーズする（Ｓ０５）。ここで、記録トラック幅の外周部と内周部のイレーズの順序はどちらが先であっても構わない。
【００３８】
消磁ヘッドの位置決めについては、消磁ヘッドが１つの場合および２つの場合を例に図３乃至図９をもちいて詳しく後述する。
【００３９】
その後、ホストコンピュータからの読出命令があったとき、リードヘッドにより前述の所定記録トラック幅の信号データを読み出し（Ｓ０６）、また、ディスクへのデータ書込指示の受信を待つＳ０２に戻る。
【００４０】
磁気ディスク装置のパワーオフにより上記のサイクルは終了し、再び磁気ディスク装置のパワーオンに伴い、必要に応じてＳ０１の動作を行った後、Ｓ０２以降の動作を行う。Ｓ０１のステップの動作は予め決められた頻度あるいは場合に行う。
【００４１】
図２に、従来の垂直磁気ヘッドの一構成例を示す。本発明のヘッドの構造を理解する上で、図２により従来の垂直磁気ヘッドの一構成例を説明する。図２はヘッド２０を断面図で示している。ヘッド２０は、先ず、アルチックから成るスライダ２１の浮上面とほぼ同一面内にリードヘッドとライトヘッドの先端が位置するように、スライダ２１の端部に、例えば、ＳｉＯ２の絶縁層２０−１を介しながら高透磁率材料の下部シールド２２−１、ＭＲ素子２２−２、上部シールド２２−３で挟まれたリードヘッド２２が形成される。さらに絶縁層２０−１を介しながら先端磁極３−１ａと後端部２３−１ｂを有する高透磁率材料の主磁極２３−１、導電性の記録用コイル２３−２、高透磁率材料のトレーリングシールド２３−３を備えるライトヘッド２３とを積層して作成される。作成されたヘッド２０は対向するディスク２４の表面に浮上しながらディスクに対し磁気的信号データを書込／読出を行う。
【００４２】
ディスク２４はガラス等の基板２４−１に設けられた軟磁性層２４−２を介して垂直磁化型の記録層２４−３を有する。記録層２４−３の磁化方向は図に示す通りディスク２４
の表面に垂直方向であり、ライトヘッド２３の記録用コイル２３−２に通電することにより、主磁極２３−１の先端磁極２３−１ａから、図に点線で示すように記録層２４−３、軟磁性層２４−２、トレーリングシールド２３−３、主磁極２３−１の後端部２３−１ｂを経由する磁気回路を磁束が通過し、記録層２４−３に磁気的信号データを書き込む。記録層２４−３に記録された磁気信号データはリードヘッド２２のＭＲ素子２２−２によって読み取られる。ここで、ＭＲ素子２２−２および記録用コイル２３−２のリード線は図示が省略されている。同様に、以下図３および図４においてもヘッドのリード線の一部が図示省略されている。
【００４３】
図３に本発明の第１の実施例を示す。先に説明した図２との違いは、図３においては、図２のリードヘッド２２とライトヘッド２３との間に更に垂直磁化型の消磁ヘッドを配置している点である。ａ）はヘッドの斜視外観図、ｂ）はａ）のＡ方向、すなわちディスク面側から見たヘッド素子部の詳細図、ｃ）はｂ）のＢ−Ｂ’部の断面を示す図である。ａ）において、スライダ１の端面に薄膜ヘッド形成部２、端子部３、リード線４が薄膜成膜されており、表面は絶縁層として、例えばＳｉ０２で覆われている。ｂ）は、スライダ１に例えばＳｉＯ２を絶縁層３０として、ＭＲ素子３２、消磁ヘッド主磁極３６の先端部、ライトヘッド主磁極３７の先端部を図示している。ｃ）において図示されている下部シールド３１、上部シールド３３、消磁ヘッド副磁極３４、消磁用コイル３５、記録用コイル３８、トレーリングシールド３９はｂ）においては図示が省略されている。ここで消磁ヘッド主磁極３６の先端部はＭＲ素子３２とライトヘッド主磁極３７の先端部の間にあって、かつ、ＭＲ素子３２のトラック幅方向の中心とライトヘッド主磁極３７の先端部の中心を通る線上に設けられた例を図示しているが、ｂ）の絶縁層３０の領域内であればどこにあっても構わない。
【００４４】
図４に本発明の第２の実施例を示す。先に説明した図３との違いは、図４においては、図３において消磁ヘッド主磁極３６の先端部は１つ設けられているのに対し、消磁ヘッド主磁極３０６の先端が分岐して先端部３０６−１と先端部３０６−２との２つが設けられている点である。消磁ヘッドは副磁極３０４、消磁用コイル３０５、主磁極３０６を有しており、主磁極６からヘッド先端部３０６−１とヘッド先端部３０６−２が分岐し、立体的に見ると、ｄ）に示すようになっている。例として、ライトヘッド主磁極３７の光学的コア幅Ｌ＝約７５ｎｍ、消磁ヘッドの先端部３０６−１と先端部３０６−２とのヘッド表面における内側間隔Ｗ＝５０ｎｍ、ＭＲ素子３２のリードコア幅Ｌ＝約５５ｎｍである。ｃ）において図示されている下部シールド３１、上部シールド３３、消磁ヘッド副磁極３０４、消磁用コイル３０５、消磁ヘッド主磁極３０６、記録用コイル３８、トレーリングシールド３９は，ｂ）においては図示を省略してある。ここで消磁ヘッドの先端部３０６−１と先端部３０６−２とは、本実施例のように１つの消磁ヘッド主磁極３０６の先端を分岐したものでも、または２つの消磁ヘッド主磁極を設けたものであっても構わない。図３と図４に示されている符号で同じ符号は同じものを示している。図３における薄膜ヘッド形成部２は図４において薄膜ヘッド形成部２００と符号を変えている。ここで、消磁ヘッドの先端部３０６−１と先端部３０６−２とはＭＲ素子３２とライトヘッド主磁極３７の先端部の間に設けられた例を図示しているが、ＭＲ素子３２とライトヘッド主磁極３７とのほぼ中心を結ぶ線上を中心線としてｂ）の絶縁層３０の領域内であればどこにあっても構わない。
【００４５】
図５は、本発明の第３の実施例を示す。記録トラック幅５０で書き込んだ領域の両端を１つの消磁ヘッド５２により消磁して所定記録トラック幅５６にする過程を順を追って説明する。ここでは、例示的に、ディスク上のトラックピッチ＝７５ｎｍ、記録トラック幅５０＝６０ｎｍ、所定記録トラック幅５６＝５０ｎｍ、消磁ヘッド５２の消磁幅＝２０ｎｍとする。（１）は、ディスク上の１つのトラックの中央にリードヘッド５１をトラッキング動作させ、ライトヘッド５３により記録トラック幅５０＝６０ｎｍの領域に磁気信号
データを書き込んだ図である。（２）は、（１）に示すトラックに書き込まれた記録トラック幅５０の右側（ディスクのアウター側）を、トラックの中央からの距離が所定記録トラック幅の１／２、すなわち２５ｎｍ以遠の領域（図において消磁幅Ａ５４と示した幅をもった記録トラック幅の右端からの領域。この例では消磁幅Ａ５４＝５ｎｍ）をイレーズしている様子を示す。消磁ヘッド５２をこの位置に位置づけするため、図１のＳ０１において予め求めて記録してあるデータをもとにトラックの中央にトラッキング動作させていたリードヘッド５１の位置をアウター側にシフトさせ、消磁ヘッド５２が消去幅の中心位置５２−１となるように位置制御を行う。この位置制御については図８を用いて後述する。消磁ヘッド５２により消磁幅Ａ５４の領域のイレーズを行った後、記録トラック幅５０の左側（ディスクのインナー側）を、トラックの中央からの距離が所定記録トラック幅の１／２、すなわち２５ｎｍ以遠の領域（図において消磁幅Ｂ５５と示した幅をもった記録トラック幅の左端からの領域）を消磁ヘッド５２を位置づけしてイレーズした後の状態を（３）に示す。記録トラック幅５０は所定記録トラック幅５６に調整され、かつ、所定記録トラック幅５６の中心がトラックの中央と一致すべく位置制御されている。
【００４６】
図６に、本発明の第４の実施例を示す。図６は図４に示したタイプの２つの消磁ヘッドを有する場合の、記録トラック幅を所定記録トラック幅に修正する様子を示している。右側の図は、ディスク上のトラックＰ６５において書き込まれた記録トラック幅の領域が所定記録トラック幅６３に調整された後の状態を示す。左側の図は、隣のトラックであるトラックＱ６６においてトラックの中央に沿って書き込まれた記録トラック幅６２の領域の両端を、２つの消磁ヘッド（消磁ヘッドＡ６１−１と消磁ヘッドＡ６１−２。２つの消磁ヘッドの内側間隔６１−３が所定記録トラック幅６３となる寸法となっている）によって同時にイレーズし、所定記録トラック幅６３に調整している様子を示す。２つの消磁ヘッドによる消磁幅間隔である内側間隔６１−３の中心がトラックＱ６６の中心に一致すべく位置制御されている。リードヘッドは図示省略されている。この実施例によれば、実施例５における場合と比べてより手短に調整できる。ここでは、トラック中心間距離６４＝７５ｎｍ、記録トラック幅６２＝６０ｎｍ、所定記録トラック幅６３＝５０ｎｍ、２つの消磁ヘッドの各々の消磁幅＝２０ｎｍ、所定記録トラック間隔６７＝５０ｎｍとしている。
【００４７】
図７は、ディスクのトラック説明図である。ディスク７０は複数のトラック７０−１を有し、トラック上でサーボ領域７０−２とデータ領域７０−３が交互に存在する。ディスク７０は、ディスク中心７０−４を回転中心に取り付けた、図示省略されている回転駆動モータによって回転駆動される。ライトヘッド、リードヘッド、消磁ヘッドを備えたヘッド７４がスライダ７５に薄膜成膜されている。ヘッド７４およびスライダ７５は、回転ポジショナ７６が有するヘッドアーム７６−１の先端部に取り付けられている。ヘッドアーム７６−１は回転軸７６−２を中心にヘッド７４を左右に揺動すべく、ヘードアーム７６−１の後端部に取り付けられた図示省略されている駆動用コイルに電流を流すことにより、磁気回路７６−３の磁界との作用でヘードアーム７６−１に回転力が生ずるようになっており、ヘッド７４のシーク動作、トラッキング動作の制御が行われる。
【００４８】
図８はトラッキング制御の説明図である。図７で説明したトラックの一部分を拡大して表示している。トラック８０において、トラックｎ、トラックｎ＋１、トラックｎ＋２の各トラックのサーボ領域８１にはバースト信号８１−１が図示のように書き込まれている。図においては、説明のため単純化したバースト信号の例を示す。回転するディスクに対してトラックｎ＋１を浮上しているリードヘッド８００のトラック幅方向の中心（以下、単に中心と称す）が、トラックの中央にあってバースト信号８１−１をリードすると、右側の図のように、ヘッド出力は０となるようになっている。リードヘッド８００の中心がトラックの中央から外れると、外れた方向および距離によって右側の図に示されるようなヘッド位置とヘッド出力の関係を有する。そこで本発明においては、トラックの中央からのリードヘッド８００の中心の位置ずれ量に対するバースト信号のリードヘッド出力を磁気ディスク装置において予め実測し、磁気ディスク装置に装着されているディスクの所定の領域、あるいは磁気ディスク装置が有する他のメモリ内に記録しておく。一方、図１のＳ０１のステップで求めておいたリードヘッドの中心を基準とした消磁ヘッドの中心値と消去幅の関係から、所定記録トラック幅に調整する際の消磁ヘッドの中心をトラックの中央からの隔たり量として求める。そして、その隔たり量の位置に消磁ヘッドの中心を保持するための、トラックの中央からのリードヘッドの中心位置の隔たりの位置を、図におけるバースト信号出力の変位量として求め、リードヘッドの所望する隔たりの位置に対応するバースト信号のヘッド出力となる位置にリードヘッドの中心位置を保持するトラッキング制御を行う。これにより、バースト信号をリードヘッドにて読み出しながら、消磁ヘッドの中心をトラックの中央から所望の隔たり量をもって位置制御することができる。図８においてデータ領域８２はサーボ領域８１に隣接する、ユーザ用データの領域である。またＡは記録トラック幅、Ｂは所定記録トラック幅を示す。リードヘッド８００は、バースト信号８１−１を含むサーボ領域８１の情報、およびＢの領域のデータまたはＡの領域のデータを読み出す。
【００４９】
図９は、本発明による磁気ディスク装置のブロック図の例を示す。磁気ディスク装置が有するディスクコントローラ９は、ディスク９８の回転駆動を行うスピンドルモータ（図示省略）を制御する回転制御部９１、ヘッド９７を所定のトラックへシークする回転ポジショナ９６の位置制御を行うシーク動作制御部９２、ヘッド９７を所定トラックへシークさせた後に所定トラックの中央にヘッド９７のリードヘッドの中心位置が一致するように制御を行う、従来から知られているトラッキング制御部９３に加え、消磁ヘッドの中心位置を所定トラックの中央から所望の距離を隔てて保持するために所定トラックの中央に対し偏った位置にヘッド９７のリードヘッドを位置づけ制御する消磁ヘッド位置づけ手段および記録トラック幅の端部から所望の幅の領域を消磁ヘッドにより消磁して所定記録トラック幅とする所定記録トラック幅生成手段としての消磁ヘッド制御部９４、ヘッド９７の記録再生を制御する記録再生制御部９５を有している。ここで、消磁ヘッド制御部９４は、例えば、消磁ヘッドを動作させるときにディスクコントローラ９の有するＣＰＵ（図示省略）が、ヘッド９７のトラッキング制御部９３によるトラッキング制御を消磁ヘッド制御部９４による位置づけ制御に切り替え、消磁ヘッドによるイレーズ動作が終了すると、消磁ヘッド制御部９４によるヘッド９７のトラッキング制御をトラッキング制御部９３による制御に切り替えるようになっている。
【００５０】
図１０は、本発明のヘッドを搭載した磁気ディスク装置例を示す。図１０において磁気ディスク装置のベース１００には、垂直磁気記録媒体であるディスク１０５を回転支持するスピンドルモータ（図示省略）が取り付けられ、ディスク１０５はスピンドルモータのディスク回転軸１０６に固定されている。また、ディスク１０５へ情報を書き込み、読み出し等を行うリードヘッド、ライトヘッド、消磁ヘッドが一体化されたヘッド１０１−１がスライダ１０１の端に薄膜成膜により形成されている。スライダ１０１は、例えば、ステンレス製のバネ鋼の板を加工したサスペンション１０２に取り付けられ、さらに、サスペンション１０２は金属製のアーム１０３の先端部に取り付けられている。ここで、サスペンション１０２には、記録／再生／消磁素子との信号のやり取りを中継する図示されていないＦＰＣがサスペンション１０２の表面に接着層を介して強固に貼り付けられ一体化されている。アーム１０３は、アーム１０３を左右に揺動させるアクチュエータ１０４の回転軸１０４−２に固定され、サスペンション１０２の取り付けられたアーム１０３の先端部と回転軸１０４−２に関して反対側の後端には、図示されていない揺動用コイルが取り付けられている。磁気回路１０４−１から生じる磁界の中をアーム１０３の揺動用コイルに電流が流れることにより、アーム１０３は回転軸１０４−２を中心に、流れる電流の方向によって左右に揺動し、スライダ１０１に組み込まれているヘッド１０１−１をディスク１０５の表面にポジショニングしている。図９により説明したディスクコントローラ（図示省略）が、磁気ディスク装置全体の制御を行っている。ヘッド１０１−１およびア
クチュエータ１０４へはＦＰＣ１０４−３が接続され、ＦＰＣ１０４−３はディスクコントローラに接続され、ヘッド駆動電流・制御信号の送受を行っている。さらに、外部の機器との接続のためのコネクタ部１０７がベース１００に設けられている。磁気ディスク装置の上部を覆うカバーは説明のため省略してある。
【図面の簡単な説明】
【００５１】
【図１】本発明による実施フローの例
【図２】従来の垂直磁気ヘッドの一構成例
【図３】本発明の第１の実施例
【図４】本発明の第２の実施例
【図５】本発明の第３の実施例
【図６】本発明の第４の実施例
【図７】ディスクのトラック説明図
【図８】トラッキング制御の説明図
【図９】本発明による磁気ディスク装置のブロック図
【図１０】本発明のヘッドを搭載した磁気ディスク装置例
【符号の説明】
【００５２】
１、２１、７５、１０１          スライダ
２、２００                      薄膜ヘッド形成部
３                              端子部
４                          リード線
６                          主磁極
９                          ディスクコントローラ
２０、７４、９７            ヘッド
２２、５１、８００          リードヘッド
２３、５３                  ライトヘッド
２４、７０、９８、１０５    ディスク
３０                        絶縁層
３１                        下部シールド
３２                        ＭＲ素子
３３                        上部シールド
３４、３０４                消磁ヘッド副磁極
３５、３０５                消磁用コイル
３６、３０６                消磁ヘッド主磁極
３７                        ライトヘッド主磁極
３８                        記録用コイル
３９                        トレーリングシールド
５０                        記録トラック幅
５２                        消磁ヘッド
５４                        消磁幅Ａ
５５                        消磁幅B
５６、６３                  所定記録トラック幅
６２                        記録トラック幅
６３                        所定記録トラック幅
６４                        トラック中心間距離
６５                        トラックＰ
６６                        トラックＱ
６７                        所定記録トラック間隔
７６、９６                  回転ポジショナ
８０                        トラック
８１                        サーボ領域
８２                        データ領域
９１                        回転制御部
９２                        シーク動作制御部
９３                        トラッキング制御部
９４                        消磁ヘッド制御部
９５                        記録再生制御部
１００                      ベース
１０２                      サスペンション
１０３                      アーム
１０４                      アクチュエータ
１０６                      ディスク回転軸
１０７                      コネクタ部
３０４                      消磁ヘッド副磁極
３０５                      消磁用コイル
３０６                      消磁ヘッド主磁極
【図１】
2010073263.tif 000003
【図２】
2010073263.tif 000004
【図３】
2010073263.tif 000005
【図４】
2010073263.tif 000006
【図５】
2010073263.tif 000007
【図６】
2010073263.tif 000008
【図７】
2010073263.tif 000009
【図８】
2010073263.tif 000010
【図９】
2010073263.tif 000011
【図１０】
2010073263.tif 000012